(57)【要約】    【課題】空気調和機の室内機と外装箱との間のスペースに付属部品を収容しつつ、その収容及び取り出しを容易にすることのできる包装装置の提供。    【解決手段】一対の緩衝材３で室内機２の両端を保持する。付属部品箱４に付属部品Ａ、Ｂを収容する。緩衝材３で保持した室内機２及び付属部品箱４を角筒状の外装箱５に収容する。室内機２の曲面部７と外装箱５のコーナー部６との間にスペースができる。付属部品箱４を三角形の筒状にして曲面部７の外側のスペースに配置する。【選択図】図１
2010070206.tif 000002
【特許請求の範囲】
【請求項１】
被包装物の両端を保持する一対の緩衝材と、該緩衝材に保持された被包装物を収容する角筒状の外装箱と、被包装物の付属部品を収容する付属部品箱とを備え、前記被包装物のうち、少なくとも収容状態で外装箱の一のコーナー部に対向する部位が前記コーナー部から離間する曲面部又はテーパー部とされ、前記付属部品箱は、両端を緩衝材に保持されて被包装物の前記曲面部又はテーパー部と外装箱のコーナー部との間のスペースに配置され、付属部品箱のうち、被包装物の前記曲面部又はテーパー部と対向する部位が、外装箱の箱面に対して傾斜する傾斜面とされたことを特徴とする包装装置。
【請求項２】
前記付属部品箱は、一枚のブランクを筒状に折り曲げて形成され、前記緩衝材によって両端の開口が塞がれることを特徴とする請求項１に記載の包装装置。
【請求項３】
前記緩衝材のコーナー部に、内側面で付属部品箱の端部を受けて保持する切欠凹部が形成されたことを特徴とする請求項１又は２に記載の包装装置。
【請求項４】
前記付属部品箱の端部に、緩衝材に係止される係止部が形成されたことを特徴とする請求項１、２又は３に記載の包装装置。
【請求項５】
前記付属部品箱の端部に、緩衝材に係止される係止部が形成され、該係止部は、付属部品箱の前記傾斜面の端部に切欠を形成してなり、前記切欠凹部の内側面のうち、付属部品箱の前記傾斜面を受ける傾斜部分に、前記係止部を係止する突起が形成されたことを特徴とする請求項３に記載の包装装置。
【請求項６】
前記付属部品箱に、付属部品の一部を外部に突出させる貫通部が形成されたことを特徴とする請求項１〜５のいずれかに記載の包装装置。
【請求項７】
前記付属部品箱の断面形状が三角形又は台形に設定されたことを特徴とする請求項１〜６のいずれかに記載の包装装置。
【発明の詳細な説明】
【技術分野】
【０００１】
本発明は、分離形空気調和機の室内機などの被包装物を包装するための包装装置に関するものである。
【背景技術】
【０００２】
一般に、空気調和機などを包装する際、その付属部品を付属部品箱に収容して被包装物の背面側の空間などに配置することにより、外装箱に、空気調和機などの本体と共に付属部品を収容している（特許文献１参照）。
【０００３】
また、分離形空気調和機の室内機などのように被包装物１０１が曲面部１０２を有することにより、その曲面部１０２と外装箱１０３のコーナー部との間にスペースができる場合には、そのスペースに付属部品Ａ、Ｂを収容して包装装置の小型化を図ることがある（図８参照）。
【０００４】
図８に示す例では、嵩張りやすい付属部品箱に代えて、被包装物１０１の曲面部１０２及びその隣接部の概略形状に合わせて折り曲げた厚紙１０４を用いている。厚紙１０４には、付属部品Ａと付属部品Ｂとを分けてポリ袋に収納したものを順に固定用テープ１０５で固定し、この厚紙１０４を被包装物１０１の曲面部１０２に被せるように配置している（図９参照）。
【０００５】
さらに、被包装物１０１の両端を緩衝材１０６で保持して曲面部１０２に厚紙１０４を被せた後、これを外装箱１０３に収容して結束バンド１０７を掛けることにより、被包装物１０１の曲面部１０２と外装箱１０３のコーナー部との間のスペースに付属部品Ａ、Ｂを収容するようになっている（図８参照）。
【特許文献１】特開２００３−２２１０８７号公報
【発明の開示】
【発明が解決しようとする課題】
【０００６】
ところが、上記のように、付属部品箱を用いる代わりに、付属部品を厚紙に固定して収容する場合、厚紙に対する付属部品の位置ずれや、被包装物に対する厚紙の位置ずれが生じて、被包装物及び付属部品の外装箱への収容及び取出しを難しくしやすい。また、付属部品の固定に固定用テープを用いる分、その見栄えが悪くなりやすく、ポリ袋から付属部品を取り出しにくくなりやすい。
【０００７】
本発明は、被包装物と外装箱のコーナー部との間のスペースに付属部品を収容しつつ、その収容及び取り出しを容易にすることのできる包装装置の提供を目的とする。
【課題を解決するための手段】
【０００８】
上記目的を達成するため、本発明は、被包装物の両端を保持する一対の緩衝材と、この緩衝材に保持された被包装物を収容する角筒状の外装箱と、被包装物の付属部品を収容する付属部品箱とを備えたものであり、被包装物のうち、少なくとも収容状態で外装箱の一のコーナー部に対向する部位がコーナー部から離間する曲面部又はテーパー部とされたものである。さらに、付属部品箱は、両端を緩衝材に保持されて被包装物の曲面部又はテーパー部と外装箱のコーナー部との間のスペースに配置され、付属部品箱のうち、被包装物の曲面部又はテーパー部と対向する部位を外装箱の箱面に対して傾斜する傾斜面としたものである。
【０００９】
上記構成によれば、付属部品箱のうちの被包装物の曲面部又はテーパー部と対向する部位を傾斜面とするので、付属部品箱の断面形状を被包装物の曲面部又はテーパー部と外装箱のコーナー部との間のスペースの概略形状に合わせて、付属部品箱の容積を極力大きく設定することができる。しかも、付属部品箱の両端を緩衝材で保持するので、付属部品箱の位置ずれを抑えて、被包装物及び付属部品の外装箱への収容及び取出しを容易にすることができる。さらに、付属部品を付属部品箱に収容する分、厚紙にテープで固定する場合よりも、その見栄えを良好にすると共に付属部品の取り出しを容易にすることができる。
【００１０】
また、一枚のブランクを筒状に折り曲げて付属部品箱を形成し、その両端の開口を緩衝材によって塞ぐことができる。この構成によれば、付属部品箱の両端の開口から付属部品が飛び出すのを緩衝材によって阻止することができるので、付属部品箱をその両端を塞いだ構造にすることなく、一枚のブランクを筒状に折り曲げただけの簡単な構造にすることができる。これにより、付属部品箱の組み立てと付属部品の収容及び取り出しとを容易にすることができ、さらに、ブランクをその上に付属部品を配置しながら筒状に折り曲げることにより、付属部品の収容をより容易にすることができる。
【００１１】
また、緩衝材のコーナー部に、内側面で付属部品箱の端部を受けて保持する切欠凹部を形成することができる。この構成によれば、緩衝材の中央部に嵌合凹部を形成した場合のように付属部品箱を緩衝材に嵌め込む必要がないので、被包装物の両端を一対の緩衝材で保持した後、その緩衝材のコーナー部分の切欠凹部に付属部品箱を架け渡すだけで、付属部品箱を容易に保持することができる。
【００１２】
また、付属部品箱の端部に、緩衝材に係止する係止部を形成することができる。この構成によれば、付属品箱を緩衝材に確実に係止して、緩衝材で両端を保持した被包装物及び付属部品箱を外装箱に収容する際の付属部品箱のずれを阻止することができ、被包装物及び付属部品の外装箱への収容及び取出しをより容易にすることができる。
【００１３】
また、付属部品箱の端部に、緩衝材に係止する係止部を形成する場合、その係止部を、付属部品箱の傾斜面の端部に切欠を形成して構成し、切欠凹部の内側面のうち、付属部品箱の傾斜面を受ける傾斜部分に、係止部を係止する突起を形成することができる。この構成によれば、付属品箱を緩衝材に確実に係止して、付属部品箱のずれを阻止することができ、特に、付属部品箱が切欠凹部の内側面のうちの傾斜部分に沿って滑り落ちるのを防止することができる。
【００１４】
また、付属部品箱に、付属部品の一部を外部に突出させる貫通部を形成することができる。この構成によれば、付属部品の一部を付属品箱の外部に貫通させて突出させる分、付属品箱を小さくすることができ、付属品箱の材料使用量を低減することができる。さらに、突出させる付属部品が幅広かつ薄い部品である場合には、付属品箱を小さくすると共に、付属部品の突出部分を被包装物と外装箱との隙間に侵入させることができ、被包装物の曲面部又はテーパー部と外装箱のコーナー部との間のスペースが小さい場合であっても、そのスペースに付属品箱を配置して付属部品を外装箱に収容することができる。
【００１５】
また、付属部品箱の断面形状を三角形又は台形に設定することができる。このうち、付属部品箱の断面形状を三角形に設定したものは、ブランクの折り曲げ回数が少ない分、付属部品箱の組み立てを容易にすることができる。一方、付属部品箱の断面形状を台形に設定したものは、その断面を構成する辺の数が多い分、各辺の寸法を適宜設定することにより、付属部品箱をその配置スペースの形状に合わせつつ、より収容性の高い断面形状に設定することができる。
【発明の効果】
【００１６】
以上のとおり、本発明によると、付属部品箱を被包装物の曲面部又はテーパー部と対向する部位を傾斜面とする断面形状に設定するので、被包装物と外装箱のコーナー部との間のスペースに付属部品箱を配置することができる。これにより、付属部品の収容及び取り出しを容易にすると共に、付属部品を固定するテープを不要にして見栄えを良くできる分、商品価値を高めることができる。
【発明を実施するための最良の形態】
【００１７】
以下、本発明を実施するための第１実施形態及び第２実施形態について、図面を用いて説明する。
【００１８】
[第１実施形態]
図１は本発明に係る包装装置の第１実施形態を示す斜視図であり、（ａ）は付属部品箱の装着前を示し、（ｂ）は付属部品箱の装着後を示す。図２は図１（ｂ）に示す包装装置の横断面図である。
【００１９】
包装装置１は、分離形空気調和機の室内機などの被包装物２を包装するためのものであり、被包装物２の両端を保持する一対の緩衝材３と、被包装物２の据付板を除く付属部品Ａ、Ｂを収容する付属部品箱４と、緩衝材３に保持された被包装物２及び付属部品箱４を収容する角筒状の外装箱５とを備えている（図１参照）。
【００２０】
被包装物２は、包装装置１への収容状態で外装箱５の一のコーナー部６に対向する部位が曲面部７とされ、この部位で、被包装物２の外郭が外装箱５のコーナー部６から離間することにより、曲面部７と外装箱５のコーナー部６との間にスペースが形成される。
【００２１】
緩衝材３は、例えば発泡スチロールからなる直方体とされて、その外郭が被包装物２の横断面よりも大きく設定され、中央に形成された嵌合凹部に被包装物２の端部を嵌合させることにより、一対の緩衝材３で被包装物２の両端部を保持するようになっている。緩衝材３のうち、被包装物２の曲面部７を位置させる側のコーナー部分には、切欠凹部としての三角受け部８が三角形状に凹設され、その内側面で付属部品箱４の端部を受けて保持するようになっている。
【００２２】
付属部品箱４は、例えば厚紙からなる一枚のブランク９を折り曲げることにより、その断面形状が付属部品Ａ、Ｂを収容可能な大きさの直角三角形の筒状に形成され、両端を緩衝材３の三角受け部８に架け渡すことにより、緩衝材３に保持されると共に、緩衝材３によって両端の開口が塞がれる。付属部品箱４の斜辺は、外装箱５の箱面に対して傾斜する傾斜面とされ、この斜辺が被包装物２の曲面部７と対向するように、付属部品箱４が配置される。
【００２３】
外装箱５は、例えば段ボールからなる四角形の角筒状で、その中央穴に緩衝材３を収容できるだけの大きさに設定される。この外装箱５の端部開口に、被包装物２及び付属部品箱４の両端部を緩衝材３で保持したものを挿入することにより、外装箱５に被包装物２が収容されると共に、被包装物２の曲面部７と外装箱５のコーナー部６との間のスペースに付属部品箱４が配置される（図２参照）。外装箱５に被包装物２及び付属部品箱４の両端部を緩衝材３で保持したものを挿入した後、これに結束バンドを掛けることにより、被包装物２及び付属部品Ａ、Ｂが包装される。
【００２４】
次に、付属部品箱を組み立てる手順を説明する。図３は付属部品箱を組み立てる手順を説明する図である。
【００２５】
まず、図３(ａ)、（ｂ）に示すように、例えば厚紙からなる一枚のブランク９を広げて、その上に付属部品Ａ、Ｂを載置する。ブランク９には、これを４つの折片１０ａ、１０ｂ、１０ｃ、１０ｄに区分する３条の折り目１１ａ、１１ｂ、１１ｃがブランク９の幅方向一端側から順に互いに平行に形成され、さらに、ブランク９の一端に、２つの舌片１２が形成されると共に、他端側の折り目１１ｃに沿って、舌片１２を挿入して係止する２つのスリット１３が形成されている。
【００２６】
付属部品Ａは、取扱説明書Ａ１や操作用のリモコンＡ２などをポリ袋に収納したもので、付属部遺品Ｂは、リモコンホルダーＢ１などをポリ袋に収納したものであり、これらをブランク９のうちの折り目１１ａ、１１ｂで囲まれる折片１０ｂの上に載置する。ここで、ブランク９の折り目１１ａ、１１ｂの間隔は、付属部品Ａ、Ｂの最大幅よりも広く設定され、付属部品Ａ、Ｂを付属部品箱４の内部に完全に収容するようになっている。
【００２７】
ブランク９を折り目１１ａ、１１ｂ、１１ｃに沿って折り曲げて、両端の折片１０ａ、１０ｂを重ねると共に、舌片１２をスリット１３に挿入して係止することにより、ブランク９が直角三角形の断面形状の筒状の付属部品箱４に組み立てられると共に、その内部に付属部品Ａ、Ｂが収容される（図３（ｃ）参照）。
【００２８】
[第２実施形態]
図４は本発明に係る包装装置の第２実施形態を示す斜視図であり、（ａ）は付属部品箱の装着前を示し、（ｂ）は付属部品箱の装着後を示す。図５は図４（ｂ）に示す包装装置の横断面図である。
【００２９】
第２実施形態の包装装置１４は、第１実施形態の包装装置１とほぼ同じ構成であるが、その付属部品箱１５の断面形状が台形に設定されると共に、付属部品箱１５に、付属部品Ａのうちの薄くかつ幅広である取扱説明書などの一部を外部に突出させる貫通部１６が形成されている（図４参照）。
【００３０】
また、緩衝材３には、付属部品箱４の端部を保持する切欠凹部として、三角受け部８に代えて台形状の台形受け部１７が凹設され、その内側面の斜辺部分に突起１８が形成されている。突起１８に、付属部品箱１５の傾斜面の端部に半円状の切欠を形成してなる係止部１９を係止することにより、付属部品箱１５を緩衝材３に係止して位置ずれを防止し、付属部品箱１５が例えば台形受け部１７の内側面の斜辺部分に沿って滑り落ちるのを阻止するようになっている（図４参照）。
【００３１】
被包装物２及び付属部品箱１５の両端部を緩衝材３で保持したものを外装箱５の端部開口に挿入することにより、被包装物２の曲面部７と外装箱５のコーナー部６との間のスペースに付属部品箱１５が配置されると共に、貫通部１６から突出した付属部品Ａの一部が被包装物２と外装箱５との隙間に侵入する。これにより、付属部品箱１５の一辺を小さくして、付属部品箱１５を、被包装物２の曲面部７と外装箱５のコーナー部６との間のスペースを有効に利用できる断面形状に設定しつつ、幅広の付属部品Ａをも包装することができる（図５参照）。
【００３２】
また、図６に示すように、付属部品箱１５を組み立てる手順は、第１実施形態の付属部品箱４を組み立てる手順とほぼ同じであるが、付属部品箱１５のブランク２０には、これを５つの折片２１ａ、２１ｂ、２１ｃ、２１ｄ、２１ｅに区分する４条の折り目２２ａ、２２ｂ、２２ｃ、２２ｄがブランク２０の幅方向一端側から順に互いに平行に形成され、さらに、折り目２２ｂに沿ってスリット状の貫通部１６が形成されている。
【００３３】
このブランク２０に付属部品Ａ、Ｂを載置しつつ、貫通部１６から付属部品Ａの一部を突出させて、ブランク２０を断面形状が台形の筒状に折り曲げることにより、付属部品箱１５が組み立てられる。組み立てた付属部品箱１５は、その上下を逆にして緩衝材３の台形受け部１７に架け渡せばよい。
【００３４】
ブランク２０の折り目２２ａ、２２ｂの間隔は、付属部品Ａの最大幅よりも狭くかつ付属部品Ｂの最大幅よりも広く設定され、ブランク２０を付属部品箱１５に組み立てた状態で、付属部品Ａの一部を貫通部１６から突出させると共に、付属部品箱１５の内部に付属部品Ｂを完全に収容するようになっている。なお、図６（ｂ）に示すように、付属部品Ｂよりも下側の折片２１ｂがその側縁付近が見えるまで幅方向に突出しており、このように、第２実施形態では、ブランク２０の折り目２２ａ、２２ｂの間隔を付属部品Ｂの最大幅よりも少し広く設定しているが、その間隔を付属部品Ｂの最大幅ぎりぎりまで縮めることもできる。
【００３５】
図７に示すように、第１実施形態及び第２実施形態の付属部品箱４、１５をブランク９、２０に展開すると、付属部品Ａの一部を外部に突出させる分、第１実施形態のブランク９よりも第２実施形態のブランク２０を△Ｌだけ幅狭にすることができ、ブランク２０の材料使用料を抑えることができる。
【００３６】
なお、本発明は、上記の実施の形態に限定されるものではなく、本発明の範囲内において、適宜変更を加えることができる。例えば、第２実施形態と同様、第１実施形態の付属部品箱４の傾斜面の端部に半円状の切欠を形成して係止部１９とし、この係止部１９を緩衝材３に設けた突起１８に係止するようにしてもよい。また、第２実施形態と同様、第１実施形態の付属部品箱４に貫通部１６を形成し、付属部品Ａのうちの薄くかつ幅広である取扱説明書などの一部を付属部品箱４の外部に突出させるようにしてもよい。
【図面の簡単な説明】
【００３７】
【図１】本発明に係る包装装置の第１実施形態を示す斜視図であり、（ａ）は付属部品箱の装着前を示し、（ｂ）は付属部品箱の装着後を示す
【図２】図１（ｂ）に示す包装装置の横断面図
【図３】付属部品箱を組み立てる手順を説明する図
【図４】本発明に係る包装装置の第２実施形態を示す斜視図であり、（ａ）は付属部品箱の装着前を示し、（ｂ）は付属部品箱の装着後を示す
【図５】図４（ｂ）に示す包装装置の横断面図
【図６】付属部品箱を組み立てる手順を説明する図
【図７】第１実施形態及び第２実施形態の付属部品箱を展開してブランクの大きさを比較する図
【図８】従来の包装装置の斜視図
【図９】従来の包装装置に付属部品を配置する手順を示す図
【符号の説明】
【００３８】
１、１４  包装装置
２        被包装物
３        緩衝材
４、１５  付属部品箱
５        外装箱
６        コーナー部
７        曲面部
８        三角受け部
９、２０  ブランク
１６      貫通部
１７      台形受け部
１８      突起
１９      係止部
【図１】
2010070206.tif 000003
【図２】
2010070206.tif 000004
【図３】
2010070206.tif 000005
【図４】
2010070206.tif 000006
【図５】
2010070206.tif 000007
【図６】
2010070206.tif 000008
【図７】
2010070206.tif 000009
【図８】
2010070206.tif 000010
【図９】
2010070206.tif 000011